(57)【要約】【課題】発呼側の装置において、着呼側の電話機の使用者が通話を開始する操作を行う前に切断処理を行うことで着呼側の電話機に対して電話番号を出力させることで、使用者が出力された電話番号に対して発呼することを誘発する即時切断行為により、使用者が被る被害を防止する電話機及びコンピュータプログラムを提供する。【解決手段】着呼信号を受信した場合に着呼時間を計時して計時した時間に基づいて出力内容を決定し、決定した出力内容を発呼元の電話番号に対応付けて出力する。【選択図】      図７
2004221981.tif 000002
【特許請求の範囲】
【請求項１】
出力手段を備え、着呼を通知する着呼信号から発呼元の電話番号を検出する電話機において、
着呼を通知する着呼信号の受信開始から着呼信号が途絶えるまでの着呼時間を計時する手段と、
計時した時間に基づいて出力内容を決定する手段と、
決定した出力内容を、着呼信号から検出した電話番号に対応付けて出力する手段と
を備えることを特徴とする電話機。
【請求項２】
出力手段を備え、着呼を通知する着呼信号から発呼元の電話番号を検出する電話機において、
着呼信号の受信開始から着呼信号が途絶えるまでの着呼時間を、着呼信号の受信を通知する呼出音を出力すべき回数を示す呼出回数に対応付けた回数テーブルと、
呼出回数を、出力する内容を示す出力内容情報に対応付けた出力テーブルと、
着呼時間を計時する手段と、
計時した着呼時間に対応する呼出回数を回数テーブルから抽出する手段と、
抽出した呼出回数に対応する出力内容情報を出力テーブルから抽出する手段と、
抽出した出力内容情報を、着呼信号から検出した電話番号に対応付けて出力する手段と
を備えることを特徴とする電話機。
【請求項３】
出力手段を備え、着呼を通知する着呼信号から発呼元の電話番号を検出する電話機に、処理を行わせるコンピュータプログラムにおいて、
電話機に、着呼を通知する着呼信号の受信開始から着呼信号が途絶えるまでの着呼時間を計時させる手順と、
電話機に、計時した時間に基づいて出力内容を決定させる手順と、
電話機に、決定した出力内容を、着呼信号から検出した電話番号に対応付けて出力させる手順と
を実行させることを特徴とするコンピュータプログラム。
【発明の詳細な説明】
【０００１】
【発明の属する技術分野】
本発明は、着呼を通知する着呼信号から発呼元の電話番号を検出する携帯電話等の電話機、及びその電話機を実現するためのコンピュータプログラムに関し、特に通話を開始する前に切断された着呼に対する処理を行う電話機及びコンピュータプログラムに関する。
【０００２】
【従来の技術】
携帯電話等の電話機では、発呼元の装置から着呼を受けたことを通知する着呼信号の受信を開始してから、通話を開始するまで又は着呼信号が途絶えるまでの間、呼出音を出力することにより着呼を通知すると共に着呼信号から発呼元の電話番号を検出し、検出した電話番号を出力する機能が備わっている。
このような電話機では、着呼信号の受信を開始してから通話が開始される前に、発呼元の装置にて切断処理を行うことにより着呼信号が途絶えた場合でも、検出した電話番号を出力することができる。
なお従来の電話機に関する技術として例えば特許文献１がある。
【０００３】
【特許文献１】
特開平５−１２２１４４号公報
【０００４】
【発明が解決しようとする課題】
しかしながら発呼側の装置において、着呼側の電話機の使用者が通話を開始する操作を行う前に切断処理を行うことにより、着呼側の電話機に対して電話番号を出力させることで、使用者が出力された電話番号に対して発呼することを誘発する「ワン切り」と呼ばれる即時切断行為が横行している。
即時切断行為では、出力された電話番号に対して電話機から発呼を行った場合に、即時切断を行った発呼側の装置から電話機に対して使用者にとって不要な情報を供与することで情報料を請求し、更に情報料の支払に遅延が生じると遅延料を請求するという行為が行われており大きな社会問題になっている。
【０００５】
本発明は斯かる事情に鑑みてなされたものであり、着呼信号を受信した場合に着呼時間を計時して計時した時間に基づいて「ワン切り」等の出力内容を決定し、決定した出力内容を発呼元の電話番号に対応付けて出力することにより、不当な情報料及び遅延料の請求を受けることを回避する電話機及びその電話機を実現するためのコンピュータプログラムの提供を目的とする。
【０００６】
【課題を解決するための手段】
第１発明に係る電話機は、出力手段を備え、着呼を通知する着呼信号から発呼元の電話番号を検出する電話機において、着呼を通知する着呼信号の受信開始から着呼信号が途絶えるまでの着呼時間を計時する手段と、計時した時間に基づいて出力内容を決定する手段と、決定した出力内容を、着呼信号から検出した電話番号に対応付けて出力する手段とを備えることを特徴とする。
【０００７】
第１発明に係る電話機では、着呼時間に基づいて「ワン切り」等の出力内容を決定し、決定した出力内容を発呼元の電話番号に対応付けて出力することにより、出力された出力内容及び電話番号を確認した使用者が着呼の状況を出力内容にて確認することができるため、発呼元の電話番号に対して発呼を行うことを防止するので不当な情報料及び遅延料の請求を受けることを回避することが可能である。
【０００８】
第２発明に係る電話機は、出力手段を備え、着呼を通知する着呼信号から発呼元の電話番号を検出する電話機において、着呼信号の受信開始から着呼信号が途絶えるまでの着呼時間を、着呼信号の受信を通知する呼出音を出力すべき回数を示す呼出回数に対応付けた回数テーブルと、呼出回数を、出力する内容を示す出力内容情報に対応付けた出力テーブルと、着呼時間を計時する手段と、計時した着呼時間に対応する呼出回数を回数テーブルから抽出する手段と、抽出した呼出回数に対応する出力内容情報を出力テーブルから抽出する手段と、抽出した出力内容情報を、着呼信号から検出した電話番号に対応付けて出力する手段とを備えることを特徴とする。
【０００９】
第２発明に係る電話機では、着呼時間に基づいて呼出回数を抽出し、抽出した呼出回数に基づいて「ワン切り」等の出力内容を抽出して、抽出した出力内容を発呼元の電話番号に対応付けて出力することにより、出力された出力内容及び電話番号を確認した使用者が着呼の状況を出力内容にて確認することができるため、発呼元の電話番号に対して発呼を行うことを防止するので不当な情報料及び遅延料の請求を受けることを回避することが可能である。
さらに呼出回数２回分に相当する着呼時間に対しては「家族」という出力内容を出力させることにより、予め家族に対して２回分の呼出を要求するように取り決めておくことで発呼元が「ワン切り」か家族かを区別することが可能であり、しかも家族に対してコールバック（かけ直し）を行い家族が所持する電話機に対して通話料が請求されることを防止するという使用を行うことが可能である。
【００１０】
第３発明に係るコンピュータプログラムは、出力手段を備え、着呼を通知する着呼信号から発呼元の電話番号を検出する電話機に、処理を行わせるコンピュータプログラムにおいて、電話機に、着呼を通知する着呼信号の受信開始から着呼信号が途絶えるまでの着呼時間を計時させる手順と、電話機に、計時した時間に基づいて出力内容を決定させる手順と、電話機に、決定した出力内容を、着呼信号から検出した電話番号に対応付けて出力させる手順とを実行させることを特徴とする。
【００１１】
第３発明に係るコンピュータプログラムでは、携帯電話等の電話機にて実行することにより、着呼時間に基づいて「ワン切り」等の出力内容を決定し、決定した出力内容を発呼元の電話番号に対応付けて出力することにより、出力された出力内容及び電話番号を確認した使用者が着呼の状況を出力内容にて確認することができるため、発呼元の電話番号に対して発呼を行うことを防止するので不当な情報料及び遅延料の請求を受けることを回避することが可能である。
【００１２】
【発明の実施の形態】
以下、本発明をその実施の形態を示す図面に基づいて詳述する。
図１は本発明の電話機の構成を示すブロック図である。
図１中１０は、携帯電話等の本発明の電話機であり、電話機１０は電話回線網等の通信網を介して他の電話機等の通信装置と通信を行う。
電話機１０は、通信処理及び音声処理等の各種処理を制御するＣＰＵ１１並びに各種処理に必要なコンピュータプログラム及びデータ等の情報を記録するフラッシュメモリ等のメモリ１２を備え、メモリ１２には本発明のコンピュータプログラムＰＧが記録されており、記録されているコンピュータプログラムＰＧをＣＰＵ１１の制御により実行することで本発明の電話機１０としての処理が行われる。
なおメモリ１２には、本発明のコンピュータプログラムＰＧだけでなく、着呼信号から発呼元の電話番号を検出するコンピュータプログラム等の様々なプログラムが記録されている。
またメモリ１２の記録領域の一部は、着呼を通知する着呼信号の受信開始から着呼信号が途絶えるまでの着呼時間及び着呼信号の受信を通知する呼出音を出力すべき回数を示す呼出回数を対応付けた回数テーブル１２ａ、並びに呼出回数及び出力する内容を示す出力内容情報を対応付けた出力テーブル１２ｂ等のテーブルとして用いられている。
【００１３】
さらにＣＰＵ１１は、音声信号の入出力及び送受信を制御する通信制御手段１３を制御しており、通信制御手段１３はアンテナ１４を介して通信網に接続し、着呼信号及びデジタル音声信号等の情報の受信並びに発呼のための発呼信号及びデジタル音声信号等の情報の送信を行う。
そして通信制御手段１３は、アンテナ１４を介して受信したデジタル音声信号をアナログ音声信号に変換してスピーカ等の音声出力手段１５から出力し、マイク等の音声入力手段１６から入力されたアナログ音声信号をデジタル音声信号に変換する音声処理手段１７を制御する。
【００１４】
さらに電話機１０は、電話番号及び各種命令等のキー入力を受け付ける押し釦等のキー入力手段１８から入力を受け付け、キー入力された情報及び送受信する情報等の各種情報を出力する液晶ディスプレイ等の画像出力手段１９を備えている。
また電話機１０は、時間を計時する計時手段２０を備えている。
なお電話機１０は、着呼信号を受信している間、音声出力手段１５からの呼出音又は予め設定されている音声の出力、画像出力手段１９から着呼を通知する画像の出力、並びに図示しない発光ダイオードの発光及びモータの稼動による電話機１０の振動により、電話機１０の使用者に着呼を通知する。
【００１５】
図２は本発明の電話機１０が備える回数テーブル１２ａの記録内容を概念的に示す説明図である。
回数テーブル１２ａは、着呼を通知する着呼信号の受信開始から着呼信号が途絶えるまでの着呼信号を受信し続けている時間を示す着呼時間と、着呼信号の受信を通知する呼出音を出力すべき回数を示す呼出回数とを対応付けて記録したテーブルである。
図２に示す例では、１秒未満が１回、１秒以上２秒未満が２回、そして２秒以上３秒未満が３回というように対応付けられている。
なお着呼信号を受信中に出力する音声は必ずしも呼出音とは限らず、予め設定されている音声、所謂着信メロディが出力される場合もあるが、本発明では着呼信号の受信開始から着呼信号が途絶えるまでの着呼信号を受信し続けている時間を呼出回数に換算する。
【００１６】
図３は本発明の電話機１０が備える出力テーブル１２ｂの記録内容を概念的に示す説明図である。
出力テーブル１２ｂは、呼出回数及び出力する内容を示す出力内容情報を対応付けて記録したテーブルである。
図３に示す例では、呼出回数１回に出力内容情報「ワン切り」が対応し、呼出回数２回に出力内容情報「家族」が対応し、そして呼出回数３回以上に出力内容情報「通常」が対応する。
【００１７】
図４は本発明の電話機１０の電話番号記録処理を示すフローチャートである。電話機１０は、他の装置から発呼され通信網を介して最寄りの基地局から着呼信号を受信した場合に、メモリ１２に記録しているコンピュータプログラムＰＧを実行するＣＰＵ１１の制御により、着呼信号の受信を検出し（Ｓ１０１）、計時手段２０により着呼信号の受信している着呼時間の計時を開始し（Ｓ１０２）、また着呼信号から発呼元の電話番号を検出する（Ｓ１０３）。
そして着呼信号が途絶えたときに、電話機１０は、メモリ１２に記録しているコンピュータプログラムＰＧを実行するＣＰＵ１１の制御により、着呼信号が途絶えたことを検出し（Ｓ１０４）、着呼時間の計時を終了する（Ｓ１０５）。
そして電話機１０は、メモリ１２に記録しているコンピュータプログラムＰＧを実行するＣＰＵ１１の制御により、着呼信号の受信を開始して計時を開始したＳ１０２から着呼信号が途絶えたことを検出して計時を終了したＳ１０５までの着呼時間に対応する呼出回数を回数テーブル１２ａから抽出し（Ｓ１０６）、抽出した呼出回数を、ステップＳ１０３にて検出した発呼元の電話番号に対応付けてメモリ１２に記録する（Ｓ１０７）。
なお着呼信号の受信が途絶える前に、使用者が電話機１０を操作して通話を介した場合、ステップＳ１０４以降の処理は行われない。
【００１８】
図５は本発明の電話機１０に記録される電話番号を概念的に示す説明図である。
図５に示すように電話機１０のメモリ１２には、発呼元の電話番号が記録されており、記録されている夫々の電話番号に対応付けて呼出回数が記録されている。
図５に示す例では、発呼元電話番号「ＸＸＸＸＸＸＸＸＸＸＸ」に対しては呼出回数６回が対応付けられており、発呼元電話番号「ＹＹＹＹＹＹＹＹＹＹＹ」及び「ＺＺＺＺＺＺＺＺＺＺＺ」に対しては夫々呼出回数９回及び１回が対応付けられている。
【００１９】
図６は本発明の電話機１０の電話番号出力処理を示すフローチャートである。
電話機１０を使用する使用者は、着呼した電話番号を出力させる場合、電話機１０に対して所定の操作を行う。
電話機１０では、メモリ１２に記録しているコンピュータプログラムＰＧを実行するＣＰＵ１１の制御により、使用者の操作を受け付け（Ｓ２０１）、対応付けて記録されている電話番号及び呼出回数をメモリ１２から抽出し（Ｓ２０２）、抽出した呼出回数に対応する出力内容情報を出力テーブル１２ｂから抽出して（Ｓ２０３）、抽出した出力内容情報を、ステップＳ１０３にて検出しステップＳ２０２にて抽出した電話番号に対応付けて画像出力手段１９から出力する（Ｓ２０４）。
なお画像出力手段１９から出力するのではなく、音声出力手段１５から音声として出力するようにしても良い。
【００２０】
図７は本発明の電話機１０が備える画像出力手段１９から出力される画像を示す説明図である。
図７に示すように画像出力手段１９から出力された画像には、出力内容情報である「通常」という文言に対応付けて２つの電話番号及び夫々の呼出回数が示されており、また出力内容情報である「ワン切り」という文言に対応付けて１つの電話番号及び呼出回数が示されている。
また予め家族に対して２回分の呼出を要求するように取り決めておくことで発呼元が「ワン切り」か家族かを区別することが可能であり、しかも家族に対してコールバック（かけ直し）を行い家族が所持する電話機に対して通話料が請求されることを防止するという使用を行うことが可能である。
【００２１】
前記実施の形態では、呼出回数に対応する出力内容情報を出力する形態を示したが、本発明はこれに限らず、着呼時間と出力内容情報とを直接対応付けておき、着呼時間に対応する出力内容情報を出力するようにしてもよい。
また前記実施の形態では、携帯電話を用いた形態を示したが、本発明はこれに限らず、固定電話に適用する形態でもよい。
【００２２】
【発明の効果】
以上詳述した如く本発明に係る電話機及びコンピュータプログラムでは、電話機が着呼信号を受信した場合に着呼時間を計時し、計時した着呼時間に基づいて呼出回数を抽出し、抽出した呼出回数に基づいて「ワン切り」等の出力内容を抽出して、抽出した出力内容を発呼元の電話番号に対応付けて出力することにより、出力された出力内容及び電話番号を確認した使用者が着呼の状況を出力内容にて確認することができるため、発呼元の電話番号に対して発呼を行うことを防止するので不当な情報料及び遅延料の請求を受けることを回避することが可能である等、優れた効果を奏する。
【００２３】
さらに呼出回数２回分に相当する着呼時間に対しては「家族」という出力内容を出力させることにより、予め家族に対して２回分の呼出を要求するように取り決めておくことで発呼元が「ワン切り」か家族かを区別することが可能であり、しかも家族に対してコールバック（かけ直し）を行い家族が所持する電話機に対して通話料が請求されることを防止するという使用を行うことが可能である等、優れた効果を奏する。
【図面の簡単な説明】
【図１】本発明の電話機の構成を示すブロック図である。
【図２】本発明の電話機が備える回数テーブルの記録内容を概念的に示す説明図である。
【図３】本発明の電話機が備える出力テーブルの記録内容を概念的に示す説明図である。
【図４】本発明の電話機の電話番号記録処理を示すフローチャートである。
【図５】本発明の電話機に記録される電話番号を概念的に示す説明図である。
【図６】本発明の電話機の電話番号出力処理を示すフローチャートである。
【図７】本発明の電話機が備える画像出力手段から出力される画像を示す説明図である。
【符号の説明】
１０  電話機
１１  ＣＰＵ
１２  メモリ
１３  通信制御手段
１４  アンテナ
１５  音声出力手段
１６  音声入力手段
１７  音声処理手段
１８  キー入力手段
１９  画像出力手段
２０  計時手段
ＰＧ  コンピュータプログラム
【図１】
2004221981.tif 000003
【図２】
2004221981.tif 000004
【図３】
2004221981.tif 000005
【図４】
2004221981.tif 000006
【図５】
2004221981.tif 000007
【図６】
2004221981.tif 000008
【図７】
2004221981.tif 000009